(57)【要約】【課題】出荷済、あるいは設置済のものにも適用可能で、かつ販売機会のロスを低減させることが可能な自動販売機を提供すること。【解決手段】前面を構成し、かつ紙幣を挿入するための紙幣挿入部１４を装着するための窓部２１，２２が少なくとも２つ形成された外扉１０と、外扉１０の販売対応域を照明する蛍光灯２０とを備え、自身が販売可能な状態であって所望の販売条件を具備する場合に、内部に収納された商品を販売する自動販売機において、光源３４を内蔵し、かつ自身の表示面３２１が窓部２２を通じて前面から視認可能となる態様で配設され、少なくとも蛍光灯２０が消灯されていて販売可能な状態となる場合に光源３４を点灯させて、表示面３２１に示された表示物を表示させる表示部材３０を備えたものである。【選択図】図２
2011034299.tif 000002
【特許請求の範囲】
【請求項１】
前面を構成し、かつ紙幣を挿入するための紙幣挿入部を装着するための窓部が少なくとも２つ形成された扉体と、
前記扉体の販売対応域を照明する主照明部と
を備え、自身が販売可能な状態であって所望の販売条件を具備する場合に、内部に収納された商品を販売する自動販売機において、
光源を内蔵し、かつ自身の表示面が一の窓部を通じて前面から視認可能となる態様で配設され、少なくとも前記主照明部が消灯されていて前記販売可能な状態となる場合に前記光源を点灯させて、前記表示面に示された表示物を表示させる表示部材を備えたことを特徴とする自動販売機。
【請求項２】
前記表示部材は、前記表示面に示された表示物が販売可能な状態であることを明示させるものであることを特徴とする請求項１に記載の自動販売機。
【発明の詳細な説明】
【技術分野】
【０００１】
本発明は、自動販売機に関し、より詳細には、前面を構成し、かつ紙幣を挿入するための紙幣挿入部を装着するための窓部が少なくとも２つ形成された扉体と、扉体の販売対応域を照明する主照明部とを備え、自身が販売可能な状態であって所望の販売条件を具備する場合に、内部に収納された商品を販売する自動販売機に関するものである。
【背景技術】
【０００２】
従来、自動販売機の前面を構成する外扉には、商品を選択するための商品選択ボタンや、紙幣挿入口、硬貨投入口及び硬貨返却口が設けられているとともに、商品見本等を前方から視認可能にしたディスプレイウィンドウ、あるいは販売対象商品や商品のイメージ広告等が前面に描かれた透光性のボード部材のようなものに代表される販売対応域が設けられている。このような販売対応域は、蛍光灯やＬＥＤ等の主照明部により照明されている。
【０００３】
一方、近年の省エネルギー化の要請により、例えば屋内に設置される自動販売機では、設置環境下における屋内照明を頼りにして、販売可能な状態であっても主照明部を消灯させているものがある。そして、内蔵する人感検知センサにより利用者が現れたと判断した場合に、主照明部を点灯させるものが知られている（例えば、特許文献１参照）。
【先行技術文献】
【特許文献】
【０００４】
【特許文献１】特許第３００６２８４号公報
【発明の概要】
【発明が解決しようとする課題】
【０００５】
上述した特許文献１に提案されている自動販売機では、人感検知センサが利用者を検知していない場合には、主照明部が消灯されていて、外扉の前面に設けられた一体表示器の一部に常時表示される「販売中」の文言により販売可能な状態であることを示している。
【０００６】
しかしながら、かかる一体表示器における「販売中」の文言は大きく表示されたものではないため、人感検知センサが検知可能な領域よりも外側にいる利用者が、上記自動販売機が販売可能な状態であることを認識できず、結果的に販売機会のロスを増大させている虞れがある。
【０００７】
一方、一般的な自動販売機においては、外扉には、紙幣挿入口を有する紙幣挿入部を装着するための窓部、すなわち矩形状の開口が少なくとも２つ設けられており、出荷時、あるいは設置時に一方の窓部には紙幣挿入部が装着され、他方の窓部には、いわゆる目隠板と称される板材が装着されていることが知られている。
【０００８】
本発明は、上記実情に鑑みて、出荷済、あるいは設置済のものにも適用可能で、かつ販売機会のロスを低減させることが可能な自動販売機を提供することを目的とする。
【課題を解決するための手段】
【０００９】
上記目的を達成するために、本発明の請求項１に係る自動販売機は、前面を構成し、かつ紙幣を挿入するための紙幣挿入部を装着するための窓部が少なくとも２つ形成された扉体と、前記扉体の販売対応域を照明する主照明部とを備え、自身が販売可能な状態であって所望の販売条件を具備する場合に、内部に収納された商品を販売する自動販売機において、光源を内蔵し、かつ自身の表示面が一の窓部を通じて前面から視認可能となる態様で配設され、少なくとも前記主照明部が消灯されていて前記販売可能な状態となる場合に前記光源を点灯させて、前記表示面に示された表示物を表示させる表示部材を備えたことを特徴とする。
【００１０】
また、本発明の請求項２に係る自動販売機は、上述した請求項１において、前記表示部材は、前記表示面に示された表示物が販売可能な状態であることを明示させるものであることを特徴とする。
【発明の効果】
【００１１】
本発明の自動販売機によれば、光源を内蔵する表示部材が、自身の表示面が一の窓部を通じて前面から視認可能となる態様で配設されているので、出荷済、あるいは設置済の既存のものに対しても適用可能である。そして、表示部材が、少なくとも主照明部が消灯されていて販売可能な状態となる場合に光源を点灯させて、表示面に示された表示物を表示させるので、設置された環境下が比較的暗い場合でも、利用者に対して販売可能な状態であることをアピールすることができる。従って、出荷済、あるいは設置済のものにも適用可能で、かつ販売機会のロスを低減させることができるという効果を奏する。
【図面の簡単な説明】
【００１２】
【図１】図１は、本発明の実施の形態である自動販売機の正面図である。
【図２】図２は、図１に示した自動販売機の前面の要部を拡大して示す拡大正面図である。
【図３】図３は、表示部材の主要構成部分を分解して示す分解斜視図である。
【図４】図４は、表示部材を外扉に取り付けた状態を模式的に示す断面側面図である。
【発明を実施するための形態】
【００１３】
以下に添付図面を適宜参照しながら、本発明に係る自動販売機の好適な実施の形態について詳細に説明する。
【００１４】
図１は、本発明の実施の形態である自動販売機の正面図である。ここで例示する自動販売機は、例えば屋内に設置されるもので、缶入り飲料やペットボトル入り飲料等の商品を販売するためのもので、本体キャビネット１を備えている。
【００１５】
本体キャビネット１は、前面が開口した直方状の断熱筐体として形成されたものである。この本体キャビネット１の内部には、図には明示しないが、複数の独立した商品収容庫が左右に並設してある。これら商品収容庫は、缶入り飲料やペットボトル入り飲料等の商品を所望の温度に維持した状態で収容するためのものである。商品収容庫には、商品収納ラック、搬出機構及び搬出シュータが設けてある。商品収納ラックは、商品を上下方向に沿って並ぶ態様で収納するためのものである。搬出機構は、商品収納ラックの下部に設けてあり、この商品収納ラックに収納された商品群の最下位にある商品を１つずつ搬出するためのものである。搬出シュータは、搬出機構から搬出された商品を後述する商品取出口１７に導くためのものである。
【００１６】
上記自動販売機には、本体キャビネット１の一側縁部に図示せぬ内扉及び外扉（扉体）１０がそれぞれ開閉可能となる態様で設けてある。内扉は、本体キャビネット１に設けた商品収容庫の前面を覆うに十分な大きさを有した断熱扉である。
【００１７】
外扉１０は、本体キャビネット１の前面開口を覆うに十分な大きさを有したものであり、本体キャビネット１の前面開口を閉成する場合には、自動販売機の前面を構成するものである。この外扉１０には、その前面側にディスプレイウィンドウ１１、商品選択ボタン１２、硬貨投入口１３、紙幣挿入部１４、一体表示器１５、硬貨返却口１６、商品取出口１７が設けてある。
【００１８】
ディスプレイウィンドウ１１は、外扉１０の内部に配設された商品見本２を利用者に視認させるための窓である。この商品見本２は、外扉１０の内部に画成された室において、上下方向に複数段設けられた商品ステージ３に左右に並べられて載置されている。そして、このような室は、その天井部分、並びに商品ステージ３内に該室を照明する蛍光灯２０（商品ステージ３内の蛍光灯は不図示）が設置してあり、ディスプレイウィンドウ１１とともに販売対応域を構成している。蛍光灯２０は、自身が点灯することにより、上記室、すなわち販売対応域を照明する主照明部を構成している。尚、本実施の形態では、蛍光灯２０を主照明部の一例として示したが、本発明ではこれに限定されず、ＬＥＤ等が主照明部を構成しても良い。
【００１９】
商品選択ボタン１２は、利用者が購入商品を選択するための押ボタンスイッチであり、ディスプレイウィンドウ１１を通じて視認される商品見本２毎に配設してある。硬貨投入口１３は、利用者が硬貨を投入するための開口である。この硬貨投入口１３を通じて投入された硬貨は、図示せぬ硬貨処理機においてその金種が識別され、その後、硬貨処理機の金種別釣銭筒若しくは図示せぬ硬貨回収箱に収容されることになる。
【００２０】
紙幣挿入部１４は、紙幣挿入口１４ａを有して成り、外扉１０の前面に形成された一の窓部２１に装着してある。この紙幣挿入部１４における紙幣挿入口１４ａは、利用者が紙幣を挿入するための開口である。ここで外扉１０には、本実施の形態では紙幣挿入部１４を装着するための窓部２１，２２、すなわち矩形状の開口が左右に並ぶ態様で２つ設けられており、いずれか一方の窓部２１に紙幣挿入部１４が装着してある。
【００２１】
この紙幣挿入部１４の紙幣挿入口１４ａを通じて挿入された紙幣は、ビルバリデータを称される紙幣処理機（図示せず）においてその金種が識別されることになる。また、上記紙幣挿入口１４ａは、紙幣処理機において識別できなかった紙幣を返却するための機能を有している。
【００２２】
一体表示器１５は、貨幣の投入金額、販売中であるか否か、釣銭があるか否か等、各種情報を利用者に表示するためのものである。硬貨返却口１６は、上記硬貨処理機において識別できなかった硬貨、あるいは釣銭となる硬貨を利用者に返却するための開口である。商品取出口１７は、本体キャビネット１の内部から払い出された商品を利用者が受け取るための開口である。
【００２３】
上記自動販売機においては、上記構成の他、人感検知センサ１８及び表示部材３０が設けてある。人感検知センサ１８は、図１に示すように外扉１０の前面に配設してあり、自動販売機の正面に利用者が居るか否かを検知するための検知手段である。かかる人感検知センサ１８が利用者を検知した場合、その検知信号が図示せぬ制御部に与えられ、後述するように主照明部である蛍光灯２０の点灯制御が行われる。
【００２４】
表示部材３０は、図２に拡大して示すように、外扉１０の他方の窓部２２、すなわち紙幣挿入部１４が装着されていない窓部（以下、他の窓部２２ともいう）に取り付けてある。この表示部材３０は、自身の表示面３２１が他の窓部２２を通じて前面から視認可能となる態様で配設してある。
【００２５】
図３は、表示部材３０の主要構成部分を分解して示す分解斜視図であり、図４は、表示部材３０を外扉１０に取り付けた状態を模式的に示す断面側面図である。ここで例示する表示部材３０は、取付部３１と表示部３２とを備えて構成してある。
【００２６】
取付部３１は、例えば白色に着色された板金等の金属部材を適宜屈曲させて構成した金属製のもので、基部３１１、該基部３１１の上端部を屈曲させた上方屈曲部３１２、該基部３１１の下端部を屈曲させた下方屈曲部３１３、該基部３１１の左端部を屈曲させた左方屈曲部３１４及び該基部３１１の右端部を屈曲させた右方屈曲部３１５により囲繞され、前面が開口する凹部３３が設けてある。
【００２７】
基部３１１は、上記凹部３３の底面を構成しており、後述する図４に示すように、上記凹部３３内に設置された例えばＬＥＤ等を内蔵する光源３４から照射された光を反射できるように構成してある。
【００２８】
上方屈曲部３１２は、基部３１１の上端から前方に延在する上方前延部３１２１と、上方前延部３１２１の延在端部より上方に延在する垂上部３１２２とを有している。垂上部３１２２には、ネジ等の締結部材Ｎが挿通する挿通孔３１２３が複数設けてある。
【００２９】
下方屈曲部３１３は、基部３１１の下端から前方に延在する下方前延部３１３１と、下方前延部３１３１の延在端部より下方に延在する垂下部３１３２とを有している。垂下部３１３２には、垂上部３１２２と同様に、ネジ等の締結部材Ｎが挿通する挿通孔３１３３が複数設けてある。
【００３０】
上記上方屈曲部３１２の上方前延部３１２１、並びに下方屈曲部３１３の下方前延部３１３１には、図４に示すように、例えばＬＥＤ等を内蔵する光源３４がそれぞれ設置してある。かかる光源３４は、ケーブルＣを介して図示せぬ電源に電気的に接続してある。かかる光源３４は、自身が点灯した場合に、前方だけでなく、後方、上方（下方前延部３１３１に設置された光源３４は下方）、左方及び右方にも光を射出できるように構成してある。
【００３１】
左方屈曲部３１４は、基部３１１の左端から前方に延在する左方前延部３１４１と、左方前延部３１４１の延在端部より右方に延在する右延部３１４２とを有している。左方前延部３１４１の延在端部から右延部３１４２に至る個所には、矩形状の取付孔３１４３が形成してある。
【００３２】
右方屈曲部３１５は、基部３１１の右端から前方に延在する右方前延部３１５１と、右方前延部３１５１の延在端部より左方に延在する左延部３１５２とを有している。右方前延部３１５１の延在端部から左延部３１５２に至る個所には、矩形状の取付孔３１５３が形成してある。
【００３３】
表示部３２は、例えば乳白色を呈する光透過性の樹脂材から形成されたもので、前面が平面状の表示面３２１となるものである。この表示部３２は、取付部３１の凹部３３の開口を覆うのに十分な大きさを有しているとともに他の窓部２２を通過できる大きさを有しており、自身の左右両端に形成された係合爪３２２が、図３に示すように取付部３１の取付孔３１４３，３１５３に進入する結果、該取付部３１と係合するものである。この表示部３２には、適宜必要に応じてゴムパッキンが配設してある。
【００３４】
このような表示部３２の表示面３２１には、各種の表示が示されたシート体３２３が貼付してあり、本実施の形態では、図２に示すように、「販売中」の文言が大きく記されたシート体３２３が貼付してあり、これにより、上記表示面３２１には、「販売中」の文言が大きく記された表示物が示してある。
【００３５】
このような構成を有する表示部材３０を、図４に示すように外扉１０の後面側より他の窓部２２を表示部３２が前方側に向けて通過し、かつ他の窓部２２の上縁部及び下縁部に溶接させた取付金２２１に締結部材Ｎを通じて取付部３１の垂上部３１２２及び垂下部３１３２を締結することにより、該他の窓部２２に水密性を確保した状態で配設することができる。また、取付部３１の凹部３３は、基部３１１、上方屈曲部３１２、下方屈曲部３１３、左方屈曲部３１４及び右方屈曲部３１５に囲繞されていることで、取付部３１は、他の窓部２２の後方域を閉塞することができる。
【００３６】
以上のような構成を有する自動販売機では、次のようにして表示部材３０の表示面３２１の表示物を表示させることができる。
【００３７】
説明の前提として、自動販売機は、収容された商品の販売が可能な販売可能な状態であるものとする。ここで主照明部である蛍光灯２０の点灯制御について先に述べることとする。
【００３８】
蛍光灯２０は、上記制御部により消灯されているものとする。そして、人感検知センサ１８が自動販売機の正面に利用者がいる旨を検知し、その検知時間が予め設定された設定時間を超える場合に、制御部が利用者が現れたと判断して蛍光灯２０を点灯させる。蛍光灯２０を点灯させた制御部は、予め決められた点灯連続時間の経過後、蛍光灯２０を再び消灯させる。
【００３９】
このようにして主照明部である蛍光灯２０の点灯制御に関係なく、自動販売機では、光源３４を常時点灯させる。これにより、光源３４からの光は、前方だけでなく、後方、上方（下方）、左方及ぶ右方にも射出される。射出された光は、基部３１１、上方前延部３１２１、下方前延部３１３１、左方前延部３１４１及び右方前延部３１５１で反射して取付部３１の凹部３３内で拡散し、拡散光として表示部３２の表示面３２１を透過する。これにより、表示面３２１に示された表示物（「販売中」）が表示される。つまり、表示部材３０は、表示面３２１に示された表示物が販売可能な状態であることを明示させるものである。
【００４０】
このように本実施の形態である自動販売機では、表示部材３０を他の窓部２２に配設するので、出荷済、あるいは設置済の既存のものに対しても適用可能である。そして、販売可能な状態である場合に、主照明部である蛍光灯２０の点灯状態に関わらず、表示部材３０の光源３４を常時点灯させて、表示部３２の表示面３２１に示された表示物（「販売中」）を表示させるので、設置された環境下が比較的暗い場合でも、利用者に対して販売可能な状態であることをアピールすることができる。従って、出荷済、あるいは設置済のものにも適用可能で、かつ販売機会のロスを低減させることができる。
【００４１】
上記自動販売機によれば、表示部材３０の取付部３１が、該表示部材３０が他の窓部２２に配設された場合に、該他の窓部２２の後方域を閉塞するので、表示部３２が壊されても防盗性を確保することができ、特に一の窓部２１の後方域に設置される紙幣処理機を保護することができる。
【００４２】
また、上記自動販売機によれば、表示部材３０が、光源３４から射出された光を取付部３１で反射拡散させて表示部３２（表示面３２１）を透過させるので、表示部材３０の前後方向の大きさが十分に確保できない場合でも、光ムラを生じさせずに均等に表示部３２（表示面３２１）を光らせることが可能になる。
【００４３】
以上、本発明の好適な実施の形態について説明したが、本発明はこれに限定されるものではなく、種々の変更を行うことができる。
【００４４】
上述した実施の形態では、人感検知センサ１８による検知時間が設定時間を超える場合に、主照明部である蛍光灯２０を点灯させていたが、本発明では、蛍光灯は、常時点灯させても良いし、予め決められた時間帯のみ点灯させても良いし、周囲の明るさに応じて点灯させても良い。
【００４５】
上述した実施の形態では、外扉１０には、紙幣挿入部１４を装着するための矩形状の開口（窓部２１，２２）が左右に並ぶ態様で２つ設けた例を示したが、本発明では、上記開口が上下に並ぶ態様で設けたものや、３つ以上設けたものであっても構わない。
【００４６】
上述した実施の形態では、表示部材３０の表示面３２１が外扉１０の外表面と同一平面上に位置するものについて説明したが、本発明では、表示部材の表示面が外扉の外表面から突出するように表示部材を設けても良く、この場合には、表示部材の周囲を照らすことが可能になる。
【００４７】
上述した実施の形態では、表示部材３０の光源３４は、主照明部である蛍光灯２０等が消灯されていて販売可能な状態となる場合を条件に常時点灯していたが、本発明では、主照明部である蛍光灯が少なくとも消灯されている場合に点灯していれば、どのような条件で点灯しても良く、更に条件とは無関係に常時点灯するようにしても良い。
【００４８】
上述した実施の形態では、自動販売機は、屋内に設置されるものであったが、本発明では、屋内に設置されるものに限られず、屋外に設置されるものであっても良い。
【産業上の利用可能性】
【００４９】
以上のように、本発明に係る自動販売機は、出荷済、あるいは設置済のものにも適用可能で、かつ販売機会のロスを低減させるのに有用である。
【符号の説明】
【００５０】
１  本体キャビネット
１０  外扉
１１  ディスプレイウィンドウ
１４  紙幣挿入部
１４ａ  紙幣挿入口
１８  人感検知センサ
２０  蛍光灯
２１  窓部
２２  窓部
２２１  取付金
３０  表示部材
３１  取付部
３１１  基部
３１２  上方屈曲部
３１２１  上方前延部
３１２２  垂上部
３１２３  挿通孔
３１３  下方屈曲部
３１３１  下方前延部
３１３２  垂下部
３１３３  挿通孔
３１４  左方屈曲部
３１４１  左方前延部
３１４２  右延部
３１４３  取付孔
３１５  右方屈曲部
３１５１  右方前延部
３１５２  左延部
３１５３  取付孔
３２  表示部
３２１  表示面
３２２  係合爪
３２３  シート体
３３  凹部
３４  光源
Ｃ  ケーブル
Ｎ  締結部材
【図１】
2011034299.tif 000003
【図２】
2011034299.tif 000004
【図３】
2011034299.tif 000005
【図４】
2011034299.tif 000006